(57)【要約】【課題】液晶表示装置の表示異常を防止することができる計器を提供する。【解決手段】液晶表示用基板２１と、液晶表示用基板２１上に配置された駆動用ＩＣ２３と、を有する液晶表示装置４と、液晶表示装置４を取り巻く導電性フレーム２４と、液晶表示用基板２１と電気的に接続されており、導電性フレーム２４が接続されたグラウンド３１と、導電性フレーム２４とグラウンド３１との間に設けられた抵抗３２と、を有する回路基板９と、を備える。【選択図】図４
2019011959.tif 000002
【特許請求の範囲】
【請求項１】
液晶表示用基板と、前記液晶表示用基板上に配置された駆動用ＩＣと、を有する液晶表示装置と、
前記液晶表示装置を取り巻く導電性フレームと、
前記液晶表示用基板と電気的に接続されており、前記導電性フレームが接続されたグラウンドと、前記導電性フレームと前記グラウンドとの間に設けられた抵抗と、を有する回路基板と、を備える計器。
【請求項２】
前記導電性フレームは、切欠を有し、
前記駆動用ＩＣは、前記切欠に対応する位置に設けられる請求項１記載の計器。
【請求項３】
指針と、
前記指針によって指示される指標を有し、前記指針の背面側に設けられる表示板と、
前記指針の作動領域を取り巻いて前記表示板の前面側に設けられる導電性の装飾部材と、をさらに備える請求項１または２記載の計器。
【発明の詳細な説明】
【技術分野】
【０００１】
本発明は、車両などに搭載される計器に関する。
【背景技術】
【０００２】
自動車やオートバイなどの車両には、速度計、回転計、および必要な情報をデジタル表示する液晶表示装置などを有する計器が搭載されている。計器は、速度計や回転計のための指針と、目盛や数字などの指標が施された表示板と、を有している。例えば、特許文献１に記載の表示板は、装飾の目的で、指標を取り巻くリング形状の装飾部材を表示板上に有している。また、装飾部材の表面は、例えばクロームメッキにより金属調の鏡面光沢が施されている。
【先行技術文献】
【特許文献】
【０００３】
【特許文献１】特開２０１３−１５２２３３号公報
【発明の概要】
【発明が解決しようとする課題】
【０００４】
上述した装飾部材は導電性である。このため、装飾部材が外部に露出した場合、人体から放電される静電気が装飾部材に流入する恐れがある。また、静電気が装飾部材を介して液晶表示装置の導電性部材へ流入した場合、液晶表示装置の電子部品が静電気の影響を受け、液晶表示装置が正しく表示できない恐れがある。
【０００５】
本発明はこのような事情を考慮してなされたもので、液晶表示装置の表示異常を防止することができる計器を提供することを目的とする。
【課題を解決するための手段】
【０００６】
本発明に係る計器は、上述した課題を解決するために、液晶表示用基板と、前記液晶表示用基板上に配置された駆動用ＩＣと、を有する液晶表示装置と、前記液晶表示装置を取り巻く導電性フレームと、前記液晶表示用基板と電気的に接続されており、前記導電性フレームが接続されたグラウンドと、前記導電性フレームと前記グラウンドとの間に設けられた抵抗と、を有する回路基板と、を備える。
【発明の効果】
【０００７】
本発明に係る計器においては、液晶表示装置の表示異常を防止することができる。
【図面の簡単な説明】
【０００８】
【図１】本発明に係る計器の実施形態であり、全体構成を説明する斜視図。
【図２】図１の計器の分解斜視図。
【図３】液晶表示装置の斜視図。
【図４】装飾部材が静電気の影響を受けた場合を概念的に説明する説明図。
【発明を実施するための形態】
【０００９】
本発明に係る計器の実施形態を添付図面に基づいて説明する。本発明に係る計器は、例えば自動車やオートバイなどの車両や、船舶、農業機械に搭載される。本実施形態においては、本発明に係る計器が自動車に搭載される例を用いて説明する。
【００１０】
図１は、本発明に係る計器の実施形態であり、全体構成を説明する斜視図である。
【００１１】
図２は、図１の計器１の分解斜視図である。
【００１２】
図３は、液晶表示装置４の斜視図である。
以下の説明において、「前面側」は図１における手前側を意味し、「背面側」は図１における奥側を意味する。
【００１３】
計器１は、速度計２と、回転計３と、液晶表示装置４と、を有している。液晶表示装置４は、速度計２と回転計３とに挟まれるよう、配置されている。
【００１４】
速度計２および回転計３は、指針１１と、表示板１２と、装飾部材１３と、を有している。指針１１（図２においては省略）は、指針軸を軸芯として回転する。表示板１２は、例えば一枚の薄板であり、指針１１によって指示される指標１６を有する。表示板１２は、指針１１の背面側に設けられ、目盛、文字、記号などである。装飾部材１３は、指針１１の作動領域を取り巻くように表示板１２の前面側に設けられる。装飾部材１３は、計器１から露出している。本実施形態においては、装飾部材１３は、リング形状の合成樹脂からなる。装飾部材１３の表面は、装飾性を高めるために、金属調の鏡面光沢を有している。鏡面光沢は、例えばクロームメッキなどのメッキにより付与される。これにより、装飾部材１３（装飾部材１３の表面）は、導電性を有する。
【００１５】
液晶表示装置４（以下単に「表示装置４」という）は、例えば一対のガラス基板２１間に液晶分子を封入した液晶表示素子からなる。液晶表示素子の端部には、フレキシブルプリント基板２２と電気的に接続される複数の電極端子が設けられている。表示装置４は、COG（Chip On Glass）方式によりガラス基板２１（液晶表示用基板）上に配置された駆動用ＩＣ２３を有している。また、表示装置４は、表示装置４の主に前面側を取り巻く導電性フレーム２４を有している。この導電性フレーム２４は、例えば、アルミニウムなどの金属製のフレームである。導電性フレーム２４は、切欠２４ａと、接続部２４ｂと、を有している。切欠２４ａは、ガラス基板２１上の駆動用ＩＣ２３が配置される箇所に対応する位置であり、駆動用ＩＣ２３の前面側に設けられる。すなわち、駆動用ＩＣ２３は、導電性フレーム２４に覆われていない。また、接続部２４ｂは、後述する抵抗３２を介してグラウンド３１と接続されている。
【００１６】
また、計器１は、ケース６と、バイザー７と、回路基板９と、ノブ１０と、を有している。
【００１７】
ケース６は、中ケース６ａと、外ケース６ｂと、を有している。中ケース６ａの前面側には、表示板１２、装飾部材１３、指針１１、およびバイザー７が配置され、それぞれ固定されている。中ケース６ａの背面側には、表示装置４、および回路基板９が配置され、それぞれ固定されている。外ケース６ｂは、計器１の背面側から回路基板９を覆って中ケース６ａに固定されている。バイザー７は、表示板１２の周りとケース６との隙間部分を目隠しする。なお、速度計２、回転計３、および表示装置４に塵埃などが入らないように、バイザー７の開口７ａを覆うカバープレートを設けてもよい。
【００１８】
回路基板９は、例えばガラスエポキシ系材料からなる硬質の基板である。回路基板９は、フレキシブルプリント基板２２を介して表示装置４のガラス基板２１の各電極端子と電気的に接続される。回路基板９は、指標１６を透過照明したり、液晶表示素子などを透過照明したりするための光源を有している。また、回路基板９は、グラウンド３１と、抵抗３２と、を有している（図４）。グラウンド３１は、回路基板９上の静電気を放電する。また、グラウンド３１は、表示装置４の導電性フレーム２４と接続され、導電性フレーム２４から流れる静電気を放電する。抵抗３２は、導電性フレーム２４とグラウンド３１との間に設けられている。
【００１９】
ノブ１０は、棒形状の不透明な樹脂からなる。ノブ１０は、回路基板９に回転または押下可能に取り付けられ、中ケース６ａ、表示板１２、およびバイザー７を貫通している。ノブ１０は、先端側を介してユーザによって回転および押下操作される。ノブ１０の基部側は、回路基板９上に設けられたスイッチを回転または押下する。ノブ１０は、例えばメータをリセットしたり、表示内容を切り替えたりする指示をユーザから受け付け、スイッチを操作する。
【００２０】
ここで、本実施形態における計器１は、導電性の装飾部材１３を有している。この装飾部材１３は外部に露出しているため、運転者などの人体から放電される静電気が装飾部材１３に流入する恐れがある。また、静電気が装飾部材１３を介して表示装置４の導電性フレーム２４へ流入した場合、表示装置４の駆動用ＩＣ２３が静電気によって励起される電磁波ノイズの影響を受け、表示装置４が表示異常を生じる恐れがある。具体的には、総称ｋ部材１３に流入した静電気が、表示装置４の駆動用ＩＣ２３に流れると、駆動用ＩＣ２３がリセットしてしまい、表示装置４に表示されている画像が一時的に非表示となってしまい表示品位の低下を招く。
【００２１】
これに対し、本実施形態における計器１は、導電性フレーム２４とグラウンド３１との間に抵抗３２を設けることにより、導電性フレーム２４に電気が流れにくくなり、導電性フレーム２４への静電気の流入を阻止し、表示異常を好適に防止することができる。
【００２２】
図４は、装飾部材１３が静電気の影響を受けた場合を概念的に説明する説明図である。
【００２３】
装飾部材１３に静電気４１ａが流入した場合、さらに静電気４１ｂが導電性フレーム２４へ流入しようとする。抵抗３２が設けられることなく導電性フレーム２４がグラウンド３１に接続されている場合、静電気４１ｂはグラウンド３１へ流れようとする。これにより、駆動用ＩＣ２３が静電気４１ｂの影響を受け、表示異常を生じてしまう恐れがある。
【００２４】
一方、導電性フレーム２４とグラウンド３１との間に抵抗３２が設けられている場合、静電気４１ｂは、グラウンド３１へ流れにくくなる。すなわち、静電気４１ｂが、導電性フレーム２４に流れにくくなる。これにより、表示装置４は表示異常を防止することができる。
【００２５】
また、仮に抵抗３２が設けられたにもかかわらず導電性フレーム２４へ静電気４１ｂが流れてしまった場合であっても、導電性フレーム２４は切欠２４ａを有している。すなわち、導電性フレーム２４は駆動用ＩＣ２３の近傍には設けられていないため、静電気によって励起される電磁波ノイズが駆動用ＩＣ２３に影響を与えることを防止することができる。
【００２６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２７】
１  計器
２  液晶表示装置（表示装置）
３  速度計
４  回転計
６  ケース
６ａ  中ケース
６ｂ  外ケース
７  バイザー
７ａ  開口
９  回路基板
１０  ノブ
１１  指針
１２  表示板
１３  装飾部材
１６  指標
２１  ガラス基板
２２  フレキシブルプリント基板
２３  駆動用ＩＣ
２４  導電性フレーム
２４ａ  切欠
２４ｂ  接続部
３１  グラウンド
３２  抵抗
４１ａ、４１ｂ  静電気
【図１】
2019011959.tif 000003
【図２】
2019011959.tif 000004
【図３】
2019011959.tif 000005
【図４】
2019011959.tif 000006